(57)【要約】【課題】撤去などを行う光ファイバ心線を伝送装置パネルの正面である伝送装置架の前面から効率的に間違いなく心線対照し得る対照光入射方法および対照光入射アダプタを提供する。【解決手段】伝送装置パネルに代わって対照光入射アダプタ３を挿入して、この対照光入射アダプタ３のアダプタ側光ファイバ心線接続コネクタ部３２を心線対照すべき光ファイバ心線７に接続されている心線対照側光ファイバ心線接続コネクタ部３２に接続し、伝送装置架１の前面に設けられている対照光入射アダプタ３、第１の光ファイバ心線接続コネクタ３１から光源装置５の心線対照用光信号を入射し、心線対照すべき光ファイバ心線７を所望の位置で湾曲させ、湾曲部７ａから放射する対照光を受光装置９で検出して光ファイバ心線を心線対照する。【選択図】      図１
2004264565.tif 000002
【特許請求の範囲】
【請求項１】
装置実装架に取り付けられている接続用固定手段に光ファイバ心線接続コネクタを介して取り付けられている装置パネルに前記光ファイバ心線接続コネクタを介して接続されている光ファイバ心線を心線対照するために使用される対照光入射アダプタであって、
前記心線対照すべき光ファイバ心線を装置パネルに接続するために当該光ファイバ心線に接続されている前記光ファイバ心線接続コネクタの心線対照側光ファイバ心線接続コネクタ部に接続されるアダプタ側光ファイバ心線接続コネクタ部と、
該アダプタ側光ファイバ心線接続コネクタ部に一端が接続されたアダプタ側光ファイバ心線と、
該アダプタ側光ファイバ心線の他端から該アダプタ側光ファイバ心線およびアダプタ側光ファイバ心線接続コネクタ部と心線対照側光ファイバ心線接続コネクタ部からなる光ファイバ心線接続コネクタを介して前記心線対照すべき光ファイバ心線に心線対照用光信号光源装置からの心線対照用光信号を入射するように装置実装架の前面に設けられている心線対照用光信号入射手段とを備え、
心線対照すべき光ファイバ心線に接続されている装置パネルと同形のパネルで構成され、光ファイバ心線の心線対照に当たって装置パネルの代わりに装置パネルの位置に装着されることにより心線対照用光信号光源装置からの心線対照用光信号が前記アダプタ側光ファイバ心線およびアダプタ側光ファイバ心線接続コネクタ部と心線対照側光ファイバ心線接続コネクタ部からなる光ファイバ心線接続コネクタを介して前記心線対照すべき光ファイバ心線に入射されるように接続されること
を特徴とする対照光入射アダプタ。
【請求項２】
前記心線対照用光信号入射手段は、前記アダプタ側光ファイバ心線の他端に接続された光ファイバ心線接続コネクタと、該光ファイバ心線接続コネクタを心線対照用光信号光源装置に接続するための光ファイバ心線とを有することを特徴とする請求項１記載の対照光入射アダプタ。
【請求項３】
前記アダプタ側光ファイバ心線接続コネクタ部は、前記心線対照すべき光ファイバ心線に接続されている心線対照側光ファイバ心線接続コネクタ部のフェルール端面に対して当該アダプタ側光ファイバ心線接続コネクタ部のフェルール端面のみを突き合わせるように直結させ、これにより両フェルール内の光ファイバ心線の端面同士を接続するように構成されていることを特徴とする請求項１または２記載の対照光入射アダプタ。
【請求項４】
装置実装架に取り付けられている接続用固定手段に光ファイバ心線接続コネクタを介して取り付けられている装置パネルに前記光ファイバ心線接続コネクタを介して接続されている光ファイバ心線を心線対照するに当り、請求項１乃至３のいずれか１項に記載の対照光入射アダプタを使用して、前記心線対照すべき光ファイバ心線に対して心線対照用光信号を入射し、この心線対照用光信号を入射された光ファイバ心線を湾曲させることで光ファイバ心線の湾曲部から対照光を放射させ、この放射光を検出して心線対照を行う対照光入射方法であって、
心線対照すべき光ファイバ心線に接続されている装置パネルの位置に該装置パネルに代わって前記対照光入射アダプタを挿入して、心線対照すべき光ファイバ心線に接続されている心線対照側光ファイバ心線接続コネクタ部にアダプタ側光ファイバ心線接続コネクタ部を接続し、
心線対照用光信号光源装置を装置実装架の前面に設けられている対照光入射アダプタの心線対照用光信号入射手段に接続して、該心線対照用光信号光源装置からの心線対照用光信号を対照光入射アダプタの心線対照用光信号入射手段から入射し、
心線対照を行う所望の位置で心線対照すべき光ファイバ心線を湾曲させ、
この湾曲部から放射する対照光を検出することにより光ファイバ心線を心線対照すること
を特徴とする対照光入射方法。
【請求項５】
前記心線対照すべき光ファイバ心線に接続されている心線対照側光ファイバ心線接続コネクタ部にアダプタ側光ファイバ心線接続コネクタ部を接続する処理は、
心線対照側光ファイバ心線接続コネクタ部のフェルール端面に対してアダプタ側光ファイバ心線接続コネクタ部のフェルール端面のみを突き合わせるように直結させ、これにより両フェルール内の光ファイバ心線の端面同士を接続することにより行われることを特徴とする請求項４記載の対照光入射方法。
【発明の詳細な説明】
【０００１】
【発明の属する技術分野】
本発明は、光ファイバ通信網の建設、撤去、保守においては光ファイバ心線の誤切断や誤接続を回避するために行われる光ファイバ心線の個別識別である心線対照に使用される対照光入射アダプタおよび該アダプタを使用した対照光入射方法に関し、更に詳しくは、心線対照すべき光ファイバ心線に対して心線対照用光信号（以下、対照光と略称する）を入射し、この対照光を入射された光ファイバ心線を湾曲させることで光ファイバ心線の湾曲部から対照光を放射させ、この放射光を検出することにより心線対照を行うのに使用される対照光入射アダプタおよび該アダプタを使用した対照光入射方法に関する。
【０００２】
【従来の技術】
光ファイバ通信網の撤去では、光ファイバ心線の誤切断や誤接続といった事態を発生させないために、作業現場の通信建物内または顧客宅内において光ファイバ心線の個別識別である心線対照を行う必要がある。
【０００３】
図３に示すように、光ファイバ通信網を構成する複数の光ファイバ心線７は、伝送装置架１に複数搭載された伝送装置パネル９１の各々から光ファイバ心線接続コネクタ９３を介して他の架などに張りわたされている。なお、各伝送装置パネル９１は、その表示が伝送装置架１の前面１ｂに行われていて、この前面の表示から容易に特定することができるようになっている。
【０００４】
更に詳しくは、各伝送装置パネル９１は、伝送装置架１の背面１ａに設けられている図示しない接続用固定枠に取り付けられている光ファイバ心線接続コネクタ９３を介して光ファイバ心線７に接続されている。なお、光ファイバ心線７が例えば光ファイバ通信網の撤去などで伝送装置パネル９１からまたは伝送装置パネル９１とともに取り除くために心線対照される光ファイバ心線である。光ファイバ心線接続コネクタ９３は、具体的には心線対照される光ファイバ心線７に接続されている心線対照の光ファイバ心線側光ファイバ心線接続コネクタ（以下、心線対照側光ファイバ心線接続コネクタと称する）と伝送装置パネル９１に接続されているパネル側光ファイバ心線接続コネクタとから構成されている。
【０００５】
このような構成において、光ファイバ心線７を心線対照するには、図４に示すように、この光ファイバ心線７を該光ファイバ心線７と同時に廃止される伝送装置パネル９１の伝送装置架１上の収容位置から確認し、伝送装置架１の背面１ａで伝送装置パネル９１から光ファイバ心線接続コネクタ９３を切り離すとともに、光ファイバ心線接続コネクタ９３を前記接続用固定枠から切り離す。すなわち、伝送装置パネル９１からの光ファイバ心線接続コネクタ９３の切り離しは、心線対照側光ファイバ心線接続コネクタ９３ａとパネル側光ファイバ心線接続コネクタ９３ｂとを切り離すことにより行われるとともに、心線対照側光ファイバ心線接続コネクタ９３ａを接続用固定枠から切り離す。
【０００６】
この切り離された心線対照側光ファイバ心線接続コネクタ９３ａに心線対照用光信号光源装置（以下、光源装置５と称する）を図４に示すように接続し、この光源装置５からの対照光を心線対照側光ファイバ心線接続コネクタ９３ａを介して光ファイバ心線７に入射する。
【０００７】
このように対照光を入射された光ファイバ心線７をその下流部における心線対照を行いたい所望の位置で湾曲し、この湾曲部７ａから対照光を外部に放射させる。そして、この光ファイバ心線７の湾曲部７ａから放射する対照光を受光装置９で検出し、光ファイバ心線７を心線対照する（例えば、非特許文献１参照）。
【非特許文献１】
オーム社「現場で役立つ所外通信設備のトラブルＱ＆Ａ」ＮＴＴ東日本技術協力センタ編、５２頁
【０００８】
【発明が解決しようとする課題】
近年の伝送装置パネル９１の小型化および光ファイバ心線接続コネクタ９３の小型化に伴い、伝送装置パネル９１を多数搭載している伝送装置架１の背面１ａは、光ファイバ心線が輻輳し、伝送装置架１の背面１ａで伝送装置パネル９１の収容位置から光ファイバ心線を特定することが困難となり、この結果、撤去すべき光ファイバ心線を特定することが困難となり、現用光ファイバ心線を誤って撤去してしまう可能性があるという問題がある。
【０００９】
本発明は、上記に鑑みてなされたもので、その目的とするところは、撤去などを行う光ファイバ心線を伝送装置パネルの正面である伝送装置架の前面から効率的に間違いなく心線対照し得る対照光入射方法および該方法に使用される対照光入射アダプタを提供することにある。
【００１０】
【課題を解決するための手段】
上記目的を達成するため、請求項１記載の本発明は、装置実装架に取り付けられている接続用固定手段に光ファイバ心線接続コネクタを介して取り付けられている装置パネルに前記光ファイバ心線接続コネクタを介して接続されている光ファイバ心線を心線対照するために使用される対照光入射アダプタであって、前記心線対照すべき光ファイバ心線を装置パネルに接続するために当該光ファイバ心線に接続されている前記光ファイバ心線接続コネクタの心線対照側光ファイバ心線接続コネクタ部に接続されるアダプタ側光ファイバ心線接続コネクタ部と、該アダプタ側光ファイバ心線接続コネクタ部に一端が接続されたアダプタ側光ファイバ心線と、該アダプタ側光ファイバ心線の他端から該アダプタ側光ファイバ心線およびアダプタ側光ファイバ心線接続コネクタ部と心線対照側光ファイバ心線接続コネクタ部からなる光ファイバ心線接続コネクタを介して前記心線対照すべき光ファイバ心線に心線対照用光信号光源装置からの心線対照用光信号を入射するように装置実装架の前面に設けられている心線対照用光信号入射手段とを備え、心線対照すべき光ファイバ心線に接続されている装置パネルと同形のパネルで構成され、光ファイバ心線の心線対照に当たって装置パネルの代わりに装置パネルの位置に装着されることにより心線対照用光信号光源装置からの心線対照用光信号が前記アダプタ側光ファイバ心線およびアダプタ側光ファイバ心線接続コネクタ部と心線対照側光ファイバ心線接続コネクタ部からなる光ファイバ心線接続コネクタを介して前記心線対照すべき光ファイバ心線に入射されるように接続されることを要旨とする。
【００１１】
請求項１記載の本発明にあっては、対照光入射アダプタは装置パネルに代わって挿入されることにより心線対照側光ファイバ心線接続コネクタ部に接続されるアダプタ側光ファイバ心線接続コネクタ部と架前面から心線対照用光信号を入射し得る心線対照用光信号入射手段を有しており、この対照光入射アダプタを装置パネルに代わって挿入して、架前面から心線対照用光信号を入射し、心線対照すべき光ファイバ心線を所望の位置で湾曲させ、湾曲部から放射する対照光を検出して光ファイバ心線を心線対照することができるため、従来のように心線対照すべき光ファイバ心線を装置パネルまたは装置実装架や接続用固定手段から切り離すことなく、また装置実装架の前面において効率的かつ間違いなく心線対照を行うことができる。
【００１２】
また、請求項２記載の本発明は、請求項１記載の発明において、前記心線対照用光信号入射手段が、前記アダプタ側光ファイバ心線の他端に接続された光ファイバ心線接続コネクタと、該光ファイバ心線接続コネクタを心線対照用光信号光源装置に接続するための光ファイバ心線とを有することを要旨とする。
【００１３】
請求項２記載の本発明にあっては、アダプタ側光ファイバ心線他端に接続の光ファイバ心線接続コネクタから光ファイバ心線を介して心線対照用光信号光源装置が接続されるため、例えば装置実装架から離れた作業し易い位置に心線対照用光信号光源装置を設置しても光ファイバ心線を適当に伸ばすだけで心線対照を行うことができ、作業効率を向上することができる。
【００１４】
更に、請求項３記載の本発明は、請求項１または２記載の発明において、前記アダプタ側光ファイバ心線接続コネクタ部が、前記心線対照すべき光ファイバ心線に接続されている心線対照側光ファイバ心線接続コネクタ部のフェルール端面に対して当該アダプタ側光ファイバ心線接続コネクタ部のフェルール端面のみを突き合わせるように直結させ、これにより両フェルール内の光ファイバ心線の端面同士を接続するように構成されていることを要旨とする。
【００１５】
請求項３記載の本発明にあっては、心線対照側光ファイバ心線接続コネクタ部のフェルール端面に対してアダプタ側光ファイバ心線接続コネクタ部のフェルール端面のみを突き合わせるように直結して両フェルール内の光ファイバ心線の端面同士を接続するため、装置パネル毎に光ファイバ心線接続コネクタの種類が異なり、これによりコネクタハウジングやフェルールの大きさが異なっても、フェルールの端面同士の直結的突き合わせにより光ファイバ心線接続コネクタの接続、すなわち光ファイバ心線同士の接続を適確に行うことができる。
【００１６】
請求項４記載の本発明は、装置実装架に取り付けられている接続用固定手段に光ファイバ心線接続コネクタを介して取り付けられている装置パネルに前記光ファイバ心線接続コネクタを介して接続されている光ファイバ心線を心線対照するに当り、請求項１乃至２のいずれか１項に記載の対照光入射アダプタを使用して、前記心線対照すべき光ファイバ心線に対して心線対照用光信号を入射し、この心線対照用光信号を入射された光ファイバ心線を湾曲させることで光ファイバ心線の湾曲部から対照光を放射させ、この放射光を検出して心線対照を行う対照光入射方法であって、心線対照すべき光ファイバ心線に接続されている装置パネルの位置に該装置パネルに代わって前記対照光入射アダプタを挿入して、心線対照すべき光ファイバ心線に接続されている心線対照側光ファイバ心線接続コネクタ部にアダプタ側光ファイバ心線接続コネクタ部を接続し、心線対照用光信号光源装置を装置実装架の前面に設けられている対照光入射アダプタの心線対照用光信号入射手段に接続して、該心線対照用光信号光源装置からの心線対照用光信号を対照光入射アダプタの心線対照用光信号入射手段から入射し、心線対照を行う所望の位置で心線対照すべき光ファイバ心線を湾曲させ、この湾曲部から放射する対照光を検出することにより光ファイバ心線を心線対照することを要旨とする。
【００１７】
請求項４記載の本発明にあっては、装置パネルに代わって対照光入射アダプタを挿入して、対照光入射アダプタのアダプタ側光ファイバ心線接続コネクタ部を心線対照すべき光ファイバ心線に接続されている心線対照側光ファイバ心線接続コネクタ部に接続し、架前面に設けられている対照光入射アダプタの心線対照用光信号入射手段から心線対照用光信号を入射し、心線対照すべき光ファイバ心線を所望の位置で湾曲させ、湾曲部から放射する対照光を検出して光ファイバ心線を心線対照するため、従来のように心線対照すべき光ファイバ心線を装置パネルまたは装置実装架や接続用固定手段から切り離すことなく、また装置実装架の前面において間違いなく効率的に心線対照を行うことができる。
【００１８】
また、請求項５記載の本発明は、請求項４記載の発明において、前記心線対照すべき光ファイバ心線に接続されている心線対照側光ファイバ心線接続コネクタ部にアダプタ側光ファイバ心線接続コネクタ部を接続する処理が、心線対照側光ファイバ心線接続コネクタ部のフェルール端面に対してアダプタ側光ファイバ心線接続コネクタ部のフェルール端面のみを突き合わせるように直結させ、これにより両フェルール内の光ファイバ心線の端面同士を接続することにより行われることを要旨とする。
【００１９】
請求項５記載の本発明にあっては、心線対照側光ファイバ心線接続コネクタ部のフェルール端面に対してアダプタ側光ファイバ心線接続コネクタ部のフェルール端面同士を突き合わせるように直結して両フェルール内の光ファイバ心線の端面同士を接続するため、装置パネル毎に光ファイバ心線接続コネクタの種類が異なり、これによりコネクタハウジングやフェルールの大きさが異なっても、フェルールの端面同士の直結的突き合わせにより光ファイバ心線接続コネクタの接続、すなわち光ファイバ心線同士の接続を適確に行うことができる。
【００２０】
【発明の実施の形態】
以下、図面を用いて本発明の実施の形態を説明する。図１は、本発明の一実施形態に係る対照光入射アダプタの構成および該アダプタを使用した対照光入射方法を行うための装置構成を示す図である。
【００２１】
本実施形態の対照光入射方法に使用される対照光入射アダプタは、図１において符号３で示すように、図３、図４で示した伝送装置パネル９１と同形のパネルで構成され、伝送装置パネル９１に代わって装置実装架である伝送装置架１の同じ位置に実装することができるように構成されている。
【００２２】
この対照光入射アダプタ３は、光源装置５に接続されるように伝送装置架１の前面１ｂに露出して設けられている本発明の心線対照用光信号入射手段を構成する第１の複数（本実施形態では２個）の光ファイバ心線接続コネクタ３１と、心線対照すべき光ファイバ心線７に接続された心線対照側光ファイバ心線接続コネクタ部に接続され、該心線対照側光ファイバ心線接続コネクタとで第２の複数（本実施形態では２個）の光ファイバ心線接続コネクタ３２を構成するアダプタ側光ファイバ心線接続コネクタ部と、第１の光ファイバ心線接続コネクタ３１と第２の光ファイバ心線接続コネクタ３２のアダプタ側光ファイバ心線接続コネクタ部との間を接続する本発明のアダプタ側光ファイバ心線を構成する複数（本実施形態では２本）の光ファイバ心線３５とから構成されている。
【００２３】
このように構成される対照光入射アダプタ３は、撤去される光ファイバ心線７を心線対照するに当たっては、当該光ファイバ心線７とともに撤去される予定の伝送装置パネルに伝送装置架１から引き抜いて、この伝送装置パネルの代わりに同位置に対照光入射アダプタ３を伝送装置架１の前面１ｂから挿入し、当該対照光入射アダプタ３を第２の光ファイバ心線接続コネクタ３２を介して光ファイバ心線７に接続する。
【００２４】
更に詳しくは、第２の光ファイバ心線接続コネクタ３２は、上述したように伝送装置架１の背面１ａに設けられている接続用固定手段である接続用固定枠に取り付けられ、かつ光ファイバ心線７に接続された心線対照側光ファイバ心線接続コネクタ部と伝送装置パネルを引き抜く前にあっては伝送装置パネル側に接続されたパネル側光ファイバ心線接続コネクタ部（伝送装置パネルを引き抜いて対照光入射アダプタ３を挿入した後では対照光入射アダプタ３のアダプタ側光ファイバ心線接続コネクタ部）とから構成されているので、伝送装置パネルの伝送装置架１からの引き抜きは、伝送装置パネルに接続されたパネル側光ファイバ心線接続コネクタ部を心線対照側光ファイバ心線接続コネクタ部から引き抜くことにより行われる。
【００２５】
この結果、パネル側光ファイバ心線接続コネクタ部が伝送装置パネルとともに伝送装置架１から引き抜かれ、伝送装置架１には接続用固定枠とこの接続用固定枠に取り付けられた心線対照側光ファイバ心線接続コネクタ部のみが残ったままになっている。すなわち、光ファイバ心線７の接続されている心線対照側光ファイバ心線接続コネクタ部は接続用固定枠を介して伝送装置架１から切り離されずに残っているのである。
【００２６】
従って、このように引き抜いた伝送装置パネルの代わりに同位置に対照光入射アダプタ３を伝送装置架１の前面１ｂから挿入すると、この対照光入射アダプタ３の第２の光ファイバ心線接続コネクタ３２を構成するアダプタ側光ファイバ心線接続コネクタ部が、伝送装置架１の接続用固定枠に取り付けられて残っていると同様に第２の光ファイバ心線接続コネクタ３２を構成する心線対照用光ファイバ心線接続コネクタ部に接続されることになる。
【００２７】
上述したように、対照光入射アダプタ３を光ファイバ心線接続コネクタ９３を介して光ファイバ心線７に接続した後、伝送装置架１の前面１ｂに露出している対照光入射アダプタ３の第１の光ファイバ心線接続コネクタ３１を光ファイバ心線３７、第３の光ファイバ心線接続コネクタ３９を介して光源装置５に接続する。すなわち、光源装置５は、伝送装置架１の前面１ｂにおいて効率的かつ適確に心線対照のために対照光入射アダプタ３に接続することができるのである。なお、この接続では、複数の第１の光ファイバ心線接続コネクタ３１のうちの心線対照しようとする光ファイバ心線７に対応する１個の第１の光ファイバ心線接続コネクタ３１を選択的に光ファイバ心線３７を介して光源装置５に接続する。
【００２８】
そして、このように接続した光源装置５から対照光を第３の光ファイバ心線接続コネクタ３９を介して光ファイバ心線３７に入射すると、この対照光は、光ファイバ心線３７から第１の光ファイバ心線接続コネクタ３１、光ファイバ心線３５、第２の光ファイバ心線接続コネクタ３２を介して光ファイバ心線７に入射される。
【００２９】
そこで、この対照光を入射された光ファイバ心線７において、心線対照を行う所望の位置で当該光ファイバ心線７を図１のように湾曲させると、この湾曲部７ａから対照光が外部に放射させる。従って、この光ファイバ心線７の湾曲部７ａから放射する対照光を受光装置９で検出し、光ファイバ心線７を心線対照する。
【００３０】
上述したように、本実施形態の対照光入射方法は、心線対照すべき光ファイバ心線７に接続された第２の光ファイバ心線接続コネクタ３２を伝送装置架１に接続された接続用固定枠から切り離すことなく、すなわち従来のように光ファイバ心線７を伝送装置パネルまたは伝送装置架１や接続用固定枠から切り離すことなく、また伝送装置架１の前面１ｂにおいて間違いなく効率的に心線対照を行うことができるようになっている。
【００３１】
また、上述したように、伝送装置パネルの代わりに対照光入射アダプタ３を伝送装置架１の前面１ｂから挿入し、この対照光入射アダプタ３の第２の光ファイバ心線接続コネクタ３２を構成するアダプタ側光ファイバ心線接続コネクタ部と伝送装置架１の接続用固定枠に取り付けられて残っていると同様に第２の光ファイバ心線接続コネクタ３２を構成する心線対照用光ファイバ心線接続コネクタ部との接続では、図２（ａ）に示すように、心線対照すべき光ファイバ心線７に接続されている第２の光ファイバ心線接続コネクタ３２を構成する心線対照側光ファイバ心線接続コネクタ部のコネクタハウジング３２ｅに収容されているフェルール３２ｆの端面に対して当該第２の光ファイバ心線接続コネクタ３２を構成するアダプタ側光ファイバ心線接続コネクタ部のコネクタハウジング３２ａに収容されているフェルール３２ｂの端面のみを突き合わせるように直結させ、これにより両フェルール３２ｆ，３２ｂ内の光ファイバ心線７，３５の端面７ａ，３５ａ同士を突き合わせて適確に接続している。
【００３２】
すなわち、光ファイバ心線７に接続されている第２の光ファイバ心線接続コネクタ３２、すなわち伝送装置パネルに接続されている第２の光ファイバ心線接続コネクタ３２は、伝送装置パネル毎に種類が異なり、コネクタハウジングやフェルールの大きさがそれぞれ異なっている。従って、光ファイバ心線接続コネクタ同士で接続しようとすると、コネクタハウジングやフェルールの大きさの違いでそのままでは接続できないため、本実施形態では、フェルール端面同士のみの直結的な突き合わせで、第２の光ファイバ心線接続コネクタ３２の接続を行っているのである。因みに、図２（ａ）に示す第２の光ファイバ心線接続コネクタ３２では、フェルールは心線対照側とアダプタ側で同じ大きさであるが、光ファイバ心線７に接続されている心線対照側光ファイバ心線接続コネクタ部のコネクタハウジング３２ｅは、光ファイバ心線３５に接続されているアダプタ側光ファイバ心線接続コネクタ部のコネクタハウジング３２ａと大きさが異なっている。このように両コネクタハウジングが異なっていても、フェルールの端面同士の直結的突き合わせにより光ファイバ心線同士の接続を適確に行うことができる。
【００３３】
また、図２（ｂ）は、コネクタハウジングとフェルールの両方が異なる場合であるが、上述したようにフェルールの端面同士の直結的突き合わせにより光ファイバ心線同士の接続を適確に行うことができる。すなわち、図２（ｂ）に示す第２の光ファイバ心線接続コネクタ３２では、心線対照側光ファイバ心線接続コネクタ部の小さなコネクタハウジング３２ｇに収容されている細いフェルール３２ｈの端面に対してアダプタ側光ファイバ心線接続コネクタ部の大きなコネクタハウジング３２ａに収容されている太いフェルール３２ｂの端面のみを突き合わせるように直結させることにより両フェルール３２ｇ，３２ｂ内の光ファイバ心線７，３５の端面７ａ，３５ａ同士を突き合わせて適確に接続することができる。
【００３４】
【発明の効果】
以上説明したように、本発明によれば、対照光入射アダプタは装置パネルに代わって挿入されることにより心線対照側光ファイバ心線接続コネクタ部に接続されるアダプタ側光ファイバ心線接続コネクタ部と架前面から心線対照用光信号を入射し得る心線対照用光信号入射手段を有しており、この対照光入射アダプタを装置パネルに代わって挿入して、架前面から心線対照用光信号を入射し、心線対照すべき光ファイバ心線を所望の位置で湾曲させ、湾曲部から放射する対照光を検出して光ファイバ心線を心線対照することができるので、従来のように心線対照すべき光ファイバ心線を装置パネルまたは装置実装架や接続用固定手段から切り離すことなく、また装置実装架の前面において効率的かつ間違いなく心線対照を行うことができる。
【００３５】
また、本発明によれば、アダプタ側光ファイバ心線他端に接続の光ファイバ心線接続コネクタから光ファイバ心線を介して心線対照用光信号光源装置が接続されるので、例えば装置実装架から離れた作業し易い位置に心線対照用光信号光源装置を設置しても光ファイバ心線を適当に伸ばすだけで心線対照を行うことができ、作業効率を向上することができる。
【００３６】
更に、本発明によれば、心線対照側光ファイバ心線接続コネクタ部のフェルール端面に対してアダプタ側光ファイバ心線接続コネクタ部のフェルール端面同士を突き合わせるように直結して両フェルール内の光ファイバ心線の端面同士を接続するので、装置パネル毎に光ファイバ心線接続コネクタの種類が異なり、これによりコネクタハウジングやフェルールの大きさが異なっても、フェルールの端面同士の直結的突き合わせにより光ファイバ心線接続コネクタの接続、すなわち光ファイバ心線同士の接続を適確に行うことができる。
【００３７】
本発明によれば、装置パネルに代わって対照光入射アダプタを挿入して、対照光入射アダプタのアダプタ側光ファイバ心線接続コネクタ部を心線対照すべき光ファイバ心線に接続されている心線対照側光ファイバ心線接続コネクタ部に接続し、架前面に設けられている対照光入射アダプタの心線対照用光信号入射手段から心線対照用光信号を入射し、心線対照すべき光ファイバ心線を所望の位置で湾曲させ、湾曲部から放射する対照光を検出して光ファイバ心線を心線対照するので、従来のように心線対照すべき光ファイバ心線を装置パネルまたは装置実装架や接続用固定手段から切り離すことなく、また装置実装架の前面において間違いなく効率的に心線対照を行うことができる。
【図面の簡単な説明】
【図１】本発明の一実施形態に係る対照光入射アダプタの構成および該アダプタを使用した対照光入射方法を行うための装置構成を示す図である。
【図２】図１に示す実施形態の対照光入射方法におけるフェルール端面同士の突き合わせで接続が行われる光ファイバ心線接続コネクタの断面を示す図である。
【図３】伝送装置架に搭載されている伝送装置パネルと心線対照すべき光ファイバ心線との接続を示す図である。
【図４】従来の対照光入射方法を説明するための図である。
【符号の説明】
１  伝送装置架
１ａ  伝送装置架の背面
１ｂ  伝送装置架の前面
３  対照光入射アダプタ
５  光源装置
７，３５，３７  光ファイバ心線
７ａ  湾曲部
９  受光装置
３１  第１の光ファイバ心線接続コネクタ
３２  第２の光ファイバ心線接続コネクタ
３２ｂ，３２ｆ，３２ｈ  フェルール
【図１】
2004264565.tif 000003
【図２】
2004264565.tif 000004
【図３】
2004264565.tif 000005
【図４】
2004264565.tif 000006